(57)【特許請求の範囲】
【請求項１】
握り部分の前側端部に配置されるかみそり装置頭部であって、前側案内条片（１３）及び後側覆いキヤツプ（７）を持つプラスチックハウジング（１）内に、二枚刃のかみそり刃（６）が移動可能に設けられているものにおいて、
二枚の前記かみそり刃（６）は単一の共通した刃台（５）に取付けられており、
刃台（５）は、プラスチックハウジング（１）の前側案内条片（１３）とは無関係な別体の構成部材であり、
刃台（５）が、ばね力に抗して、かみそり刃（６）の面に対して平行にかつプラスチックハウジング（１）の後壁（１１）の方向へプラスチックハウジング（１）内において移動可能であり、
前記刃台（５）が側方にそれぞれ案内条片（８）を持つており，これらの案内条片によつて刃台（５）がプラスチツクハウジング（１）にある切欠き（９）の中で移動可能であり、 かつ、刃台（５）が少なくとも１つのカム（１４）を持つており，このカムが，プラスチツクハウジング（１）にある開口（１５）を通つて外部へ導き出されていることを特徴とする、湿式かみそり装置のかみそり装置頭部。
【請求項２】
刃台（５）の移動運動が上側でプラスチツクハウジング（１）の覆いキヤツプ（７）により案内されていることを特徴とする請求項１に記載のかみそり装置頭部。
【請求項３】
刃台（５）とプラスチツクハウジング（１）の後壁（１１）との間に圧縮ばね（１２）が配置されていることを特徴とする請求項１又は２に記載のかみそり装置頭部。
【請求項４】
圧縮ばね（１２）が，湾曲した板ばね又は線ばねであることを特徴とする請求項３に記載のかみそり装置頭部。
【請求項５】
板ばね又は線ばねがその長さにわたつて何回か湾曲していることを特徴とする請求項４に記載のかみそり装置頭部。
【請求項６】
案内条片（８）が外側に凸状に湾曲していることを特徴とする請求項１に記載のかみそり装置頭部。
【請求項７】
プラスチツクハウジング（１）が組立て可能な下部（２）と上部（３）から成り，これらの部分の間に刃台（５）が別体の構成部材として配置されていることを特徴とする請求項１ないし６のうち１つに記載のかみそり装置頭部。
【請求項８】
下部（２）が穴（４）を持つていることを特徴とする，請求項７に記載のかみそり装置頭部。
【請求項９】
刃台（５）が側方にそれぞれカム（１４）を持つており，これらのカムが，プラスチツクハウジング（１）の側壁にある開口（１５）を通つて外部へ導き出されていることを特徴とする請求項１に記載のかみそり装置頭部。
【発明の詳細な説明】
【０００１】
【発明の属する技術分野】
本発明は、プラスチックハウジングの中に二枚刃のかみそり刃が弾性的に支持されている、握り部分の前側端部に配置された、湿式かみそり装置のかみそり装置頭部、特にかみそり刃単位体に関する。
【０００２】
【従来の技術】
使い捨て湿式かみそり装置において、二枚刃のかみそり刃はプラスチックハウジング内のかみそり装置頭部に取外し不可能にはめ込まれている。かみそり装置頭部が別個に構成されておりかつ握り部分に取り付けることができ、この目的のために握り部分及びかみそり装置頭部が互いに対応する拘束装置を持っている場合は、いわゆるかみそり刃単位体のことを言っている。
【０００３】
湿式かみそり装置の公知のかみそり刃単位体には、前側案内条片を持つプラスチックハウジングが設けられている。このプラスチックハウジングの内部に、二枚刃のかみそり刃を形成するための２つのかみそり刃がそれぞれ弾性的に支持されている。この目的のために両方のかみそり刃はそれぞれ側方のばね舌片上に載っているので、これらのかみそり刃はひげそり中に顔の輪郭に適合することができる。
【０００４】
この公知の装置の欠点は，かみそり刃の角度，従つて傾斜角がひげそり中に一定ではないことである。この場合，それぞれのかみそり刃には，不満足な切断能力の原因になり得る，好ましくない振動又は移動が起こる。
【０００５】
【発明が解決しようとする課題】
本発明の基礎になつている課題は，二枚刃のかみそり刃の弾性支持が改善された湿式かみそり装置のかみそり装置頭部，特にかみそり刃単位体を提供することである。
【０００６】
【課題を解決するための手段】
前側案内条片及び後側覆いキヤツプを持つプラスチックハウジング内に、二枚刃のかみそり刃が移動可能に設けられている湿式かみそり装置のかみそり装置頭部において、この課題は、本発明によれば、二枚の前記かみそり刃を単一の共通した刃台に取り付け、刃台を、プラスチックハウジングの前側案内条片とは無関係な別体の構成部材とし、刃台をばね力に抗してプラスチックハウジングの後壁の方向へ、かつかみそり刃の面に対して平行に、プラスチックハウジング内で移動可能とすることによって解決される。
【０００７】
刃台に取り付けられた二枚刃のかみそり刃を持つ湿式かみそり装置の、この技術的教示に基づいて構成されたかみそり装置頭部、特にかみそり刃単位体には、改善された弾性支持の利点がある。通常の二枚刃のかみそり刃を使用する場合、互いに平行に取り付けられた両方の個別かみそり刃は平行に、従って周期的に移動可能である。この装置の決定的な利点は、かみそり刃の角度、従って傾斜角がひげそり中に一定でありかつ精確な案内によりかみそり刃の好ましくない振動又は移動が回避されるので、最適な切断能力が得られることである。それによってかみそり刃はひげそり中に直線移動運動の際に互いに一定の角度をなしており、それは、弾性支持にも拘らず非常に良好な切断結果を生ぜしめる。この直線状案内は、刃台が左側及び右側においてプラスチックハウジングの後壁の方向に移動せしめられることによって正確な直線運動を行うことであると解されるのみならず、刃台が両端のうちの一方においてのみプラスチックハウジングの後壁の方向に移動せしめられ、かみそり刃の面内で揺動運動を行い、その際に回転点が刃台の他端を形成することであるとも解される。従って全体として刃台の移動は平行に又は平行でなく行われ得る。このことには、作用するひげそり力に関係して刃台の容易な偏向が保証されているという利点がある。刃台はプラスチック又は金属から成ることができる。この刃台は１つの部分又は複数の部分から成ることができる。かみそり刃は、ひげそりの際の荷重に耐える結合方法で、例えば接着、溶接、摩擦結合、はまり合い結合又は鋲止めにより刃台に取り付けられている。
【０００８】
好ましい拡張において，刃台がかみそり刃の面に対して平行に移動可能であることが提案されている。それによつて，平行にかつ水平に移動可能な刃台が得られ，この場合，刃台に取り付けられたかみそり刃は平行に，顔の接線に対して選ばれた傾斜角をなして後方へ移動可能である。それによつて，かみそり刃の弾性支持の際の最適な切断結果が得られる。
【０００９】
刃台の精確な案内を行うために，刃台の移動運動は上側でプラスチツクハウジングの覆いキヤツプにより案内されている。
【００１０】
最適な弾性支持部を形成するために，刃台とプラスチツクハウジングの後壁との間に圧縮ばねが配置されていることが提案されている。プラスチツクハウジングの後壁と刃台との間に支持されたこの圧縮ばねは，刃台のために必要な復帰力を保証する。
【００１１】
圧縮ばねは，湾曲した板ばね又は線ばねであるのが好ましい。このばねはプラスチツク又は金属から成ることができ，そしてこのばねはプラスチツクハウジングの後壁と刃台との間に支持されるようにプラスチツクハウジングにはめ込まれている。別の構成において，板ばね又は線ばねはその長さにわたつて何回か湾曲している。そのことは，一方の湾曲が他方の湾曲に続き，プラスチツクハウジングの後壁及び刃台に複数の接触点が設けられていることであると解される。このことには，一方では，刃台の長さにわたる均一な圧力供給という利点があり，他方では，そのことによつて，既に述べた片側の移動運動が行える。
【００１２】
前述したことの代わりに，装置にある弾性カムによつても復帰力を加えることができ，このカムは刃台の弾性支持を保証する。
【００１３】
刃台の好ましい拡張において，この刃台は側方にそれぞれ案内条片を持つており，これらの案内条片によつて刃台はプラスチツクハウジングにある切欠きの中で移動可能である。これらの案内条片により，装置は良好な案内特性を持つている。これらの案内条片はプラスチツクハウジングにより，特に上側の刃殻体により外部に対して案内され得る。それによつて動作が検査され得る。更に，清掃のために刃台を後方へ移動させることができる。
【００１４】
案内条片の別の構成では，これらの案内条片が外側に凸状に湾曲していることが提案されている。この湾曲は，片側で作用する力が片側に偏向運動も引き起こすことによつて，かみそり刃の面内で，既に前に述べた揺動運動の形の片側移動運動が可能にされるように形成されている。
【００１５】
特にかみそり刃単位体の形のかみそり装置頭部の好ましい拡張により，プラスチツクハウジングが組立て可能な下部と上部から成り，これらの部分の間に刃台が別体の構成部材として配置されていることが提案されている。このことは，かみそり刃単位体が技術的に簡単なやり方で構成されかつ簡単に組み立てられ得るという利点を伴う。プラスチツクハウジングの上部は，前側の案内条片及び後側の覆いキヤツプが中間間隔を残して側壁により互いに固定的に結合されていることによつて，枠状に形成されているのが好ましい。
【００１６】
下部の好ましい拡張において，この下部は穴を持つている。これらの穴には，ひげそり中にひげそりクリームの泡が一層良好に導出され，更に，かみそり刃単位体の清掃が改善されるという利点がある。
【００１７】
最後に，別の構成では，刃台が少なくとも１つのカムを持つており，このカムが，プラスチツクハウジングにある開口を通つて外部へ導き出されていることが提案されている。この場合，刃台は側方にそれぞれカムを持つており，これらのカムが，プラスチツクハウジングの側壁にある開口を通つて外部へ導き出されているのが好ましい。これらのカムにより刃台を外部から容易に操作することができ，それによつてかみそり刃の清掃は著しく改善される。
【００１８】
【実施例】
湿式かみそり装置用のいわゆるかみそり刃単位体の形の，本発明によるかみそり装置頭部の実施例を図面により以下に説明する。
【００１９】
かみそり刃単位体はプラスチツクハウジング１から成る。このプラスチツクハウジングは下部２と上部３から構成され，この下部２は底範囲に穴４を持つている。下部２と上部３は様々なやり方で、例えば溶接，接着，係合，差込みなどによつて互いに固定的に結合され得る。
【００２０】
プラスチックハウジング１の内部に、刃台５が移動可能に支持されている。この刃台５は、二枚刃のかみそり刃を形成するための２つのかみそり刃６を備えており、これらのかみそり刃は共通の一つの刃台５と固定的に結合されている。かみそり刃６を持つ刃台５は、下部２の底に移動可能に支持されている。刃台５は上側でプラスチックハウジング１の上部３の後側覆いキャップ７により案内されている。更なる案内のために、刃台５は側方にそれぞれ案内条片８を持っており、これらの案内条片は、プラスチックハウジング１にある切欠き９の中で移動可能に案内されている。図２から分かるように、両方の案内条片８は外側に少し凸状に湾曲されている。
【００２１】
図６及び７の断面図から分かるように，刃台５は下側に条片１０を持つており，この条片とプラスチツクハウジング１の後壁１１との間に板ばねの形の圧縮ばね１２が支持されている。この圧縮ばね１２は，例えば図６に示されているように，刃台５を前方へプラスチツクハウジング１の案内条片１３の方向に押し付けようとする。板ばねの形の圧縮ばね１２は，図２から分かるように，何回か湾曲されており，即ち３つの湾曲が前後に並んでいるので，圧縮ばね１２の２つの屈曲点はプラスチツクハウジング１の後壁１１に接触しかつ３つの湾曲点は刃台５の条片１０に接触している。
【００２２】
更に，図２から分かるように，刃台５は側方にそれぞれカム１４を持つており，これらのカムは案内条片８に一体形成されている。刃台５のこれらのカム１４は，プラスチツクハウジング１の側壁にある開口１５を通つて導き出されており，従つて操作可能である。プラスチツクハウジング１の側壁にあるこれらの開口１５は，このプラスチツクハウジング１の上部３及び下部２にある側方切欠きによりこれらの両部分の組立て後に規定されている。
【００２３】
かみそり刃単位体は次のように動作する。
図１及び図６に，かみそり刃単位体，特に刃台５の初期位置が示されており，即ち刃台５は，かみそり刃６の刃先が前側案内条片１３と後側覆いキヤツプ７との接線上に位置している最前位置にある。図３及び図７にそれぞれ矢印Ｐで示されているような，刃台５の中心における圧力供給の際に，刃台５は，この刃台に固定的に設けられたかみそり刃６と共にプラスチツクハウジング１の後壁１１の方向にかつかみそり刃６の面に対して平行に移動する。これは，刃台５の純粋な直線運動であるので，この刃台はプラスチツクハウジング１の中へ均一に没入する。
【００２４】
その代わりに，刃台５の左側（図４）又は右側（図５）においても圧力供給が行える。それによつて刃台５はその全長にわたつて均一にはプラスチツクハウジング１の後壁１１の方向に移動せしめられず，圧力供給が行われる範囲においてのみ，即ち左側（図４）又は右側（図５）において移動せしめられる。その際，刃台５は回転点としての反対側端部を中心にかみそり刃６の面内で揺動運動を行う。
【００２５】
側方のカム１４によつて刃台５を手でプラスチツクハウジング１の内部において移動させることができるので，かみそり刃６の清掃が一層良好にできる。
【図面の簡単な説明】
【図１】かみそり刃単位体の斜視図である。
【図２】組立て前の，図１のかみそり刃単位体の分解図である。
【図３】後方へ正確な直線移動運動のための刃台への中心圧力供給が行われる，図１のかみそり刃単位体に相当するかみそり刃単位体の斜視図である。
【図４】刃台が左側範囲においてプラスチツクハウジングの後壁の方向に移動せしめられるように，刃台の右側へ圧力供給される，図３に対応する斜視図である。
【図５】刃台が右側範囲においてプラスチツクハウジングの後壁の方向に移動せしめられるように，刃台の右側へ圧力供給される，図３に対応する斜視図である。
【図６】刃台の初期位置における，図１のかみそり刃単位体の断面図である。
【図７】刃台が後方へ移動せしめられた，図６によるかみそり刃単位体の断面図である。
【符号の説明】
１  プラスチツクハウジング
５  刃台
６  かみそり刃
７  後側覆いキヤツ
１１  後壁
１３  前側案内条片
【図１】
0003595324.tif 000002
【図２】
0003595324.tif 000003
【図３】
0003595324.tif 000004
【図４】
0003595324.tif 000005
【図５】
0003595324.tif 000006
【図６】
0003595324.tif 000007
【図７】
0003595324.tif 000008